(57)【要約】【課題】日常生活に必ず携行する携帯電話機又はスマートフォンといった板状の携帯型電子機器及びこの携帯型電子機器のケースに固定可能な手鏡として使用可能な携帯型電子機器用ミラーを提供すること。【解決手段】携帯型電子機器用ミラー１は、携帯情報端末機、携帯電話機又はスマートフォンを含む板状の携帯型電子機器２、又は、携帯型電子機器２のケース７に固定可能であり、板状に構成された主たる面の何れか一方に鏡面３を備え、主たる面の一方又は他方が携帯型電子機器２又はケース７に接する。【選択図】図２
0003194367.tif 000002
【実用新案登録請求の範囲】
【請求項１】
携帯情報端末機、携帯電話機又はスマートフォンを含む板状の携帯型電子機器、又は、当該携帯型電子機器のケースに固定可能であり、
板状に構成された主たる面の何れか一方に鏡面を備え、主たる面の前記一方又は他方が前記携帯型電子機器又は前記ケースに接することを特徴とする携帯型電子機器用ミラー。
【請求項２】
前記携帯型電子機器用ミラーは、前記主たる面の何れか一方又は他方を介して前記ケースに接着又は粘着されることを特徴とする請求項１に記載の携帯型電子機器用ミラー。
【請求項３】
前記携帯型電子機器用ミラーは、前記主たる面の他方を介して前記携帯型電子機器に接着又は粘着されることを特徴とする請求項１に記載の携帯型電子機器用ミラー。
【請求項４】
前記携帯型電子機器用ミラーは、前記ケースに固定され、
当該ケースは、前記携帯型電子機器用ミラーを自在に露出及び覆うこと可能なスライド式の蓋部をさらに備えることを特徴とする請求項１に記載の携帯型電子機器用ミラー。
【請求項５】
前記携帯型電子機器用ミラーは、前記ケースに固定され、
当該ケースは、前記携帯型電子機器用ミラーを自在に露出及び覆うこと可能な開閉式の蓋部をさらに備えることを特徴とする請求項１に記載の携帯型電子機器用ミラー。
【請求項６】
前記携帯型電子機器用ミラーは、前記ケースに固定され、
当該ケースは、前記携帯型電子機器の正面部を自在に露出及び覆うこと可能な開閉式の蓋部を備え、
前記携帯型電子機器用ミラーは前記蓋部の内側に固定されることを特徴とする請求項１に記載の携帯型電子機器用ミラー。
【請求項７】
前記携帯型電子機器用ミラーは、前記ケースに固定され、
当該ケースは、前記携帯型電子機器の正面部を自在に露出及び覆うこと可能な開閉式の蓋部を備え、
前記携帯型電子機器用ミラーは前記蓋部と前記ケースに固定された前記携帯型電子機器との間に差し込まれた中間片に固定されることを特徴とする請求項１に記載の携帯型電子機器用ミラー。
【請求項８】
前記携帯型電子機器用ミラーは、略矩形状に構成され、前記携帯型電子機器の背面部と概ね等しい形状に構成され、かつ、各隅部近傍からは、前記携帯型電子機器を保護し、かつ、当該携帯型電子機器を保持可能な係止片が当該携帯型電子機器側に突出したことを特徴とする請求項１に記載の携帯型電子機器用ミラー。
【請求項９】
前記携帯型電子機器用ミラーは、前記ケースに固定され、
当該ケースは、前記携帯型電子機器の正面部を自在に露出及び覆うこと可能な開閉式の第１の蓋部を備え、
前記携帯型電子機器用ミラーは前記蓋部の外側に固定されて、第２の蓋部により自在に露出及び覆うこと可能であることを特徴とする請求項１に記載の携帯型電子機器用ミラー。
【請求項１０】
前記携帯型電子機器用ミラーは、前記主たる面の他方を介して前記携帯型電子機器の表示部を覆うように接着又は粘着され、前記携帯型電子機器の不使用時は鏡面として使用可能であり、前記携帯型電子機器の表示部の使用時は、前記携帯型電子機器用ミラーを透過して前記表示部の表示を確認可能であることを特徴とする請求項１に記載の携帯型電子機器用ミラー。
【考案の詳細な説明】
【技術分野】
【０００１】
本考案は、日常生活に必ず携行する携帯電話機又はスマートフォンといった板状の携帯型電子機器及びこの携帯型電子機器のケースに固定可能な手鏡として使用可能な携帯型電子機器用ミラーに関する。
【背景技術】
【０００２】
昨今、携帯電話機及びスマートフォン等の携帯型電子機器の普及は目覚ましく、誰しもがそれら携帯型電子機器を一台は常時携行しているのが常態となってきている。その生活必需品としての普及は目覚ましく、種々の携行品の中で、携帯型電子機器だけは、常時携行することが習慣化されており、持ち忘れることのないような状況とまでなっている。
【０００３】
また、昨今の携帯型電子機器は多機能化が進んでおり、例えば、自己の顔等を確認するべく、表示部の近傍に配されたサブカメラを使用して表示部に自己の顔等を表示させて、手鏡のように携帯型電子機器を用いることができる機種が多数存在する。
【考案の概要】
【考案が解決しようとする課題】
【０００４】
しかしながら、携帯型電子機器は、表示部に自己の顔を表示させればさせるだけ、バッテリーが減少してしまうばかりか、急速に進む大画面化により、バッテリーの減少が顕著となってきている。
【０００５】
また、携帯型電子機器による顔面等の確認は、あくまで携帯型電子機器のサブカメラ及び表示部を用いた確認であるため、細部の状態までを確認することまでは困難である。
【０００６】
さらに、携帯型電子機器による顔面等の確認は、背面部に通常配される主たるカメラと異なり、表示部近傍に配されたサブカメラを用いなくてはならないことから、通常、その画素数は主たるカメラに比してさらに低下するのが通常であり、そのため、顔面等の細部の状態確認はさらに困難であった。
【０００７】
一方、携帯型の手鏡は、男女を問わず日用品として身だしなみを確認するため、特に、女性を中心に携行する者が多いものの、携帯型電子機器の如く、持ち忘れがないほどに携行が常態化しているとは言い難い。
【０００８】
そこで本考案は、上記事情に鑑みてなされたものであって、日常生活に必ず携行する携帯電話機又はスマートフォンといった板状の携帯型電子機器及びこの携帯型電子機器のケースに固定可能な手鏡として使用可能な携帯型電子機器用ミラーを提供することを目的とする。
【課題を解決するための手段】
【０００９】
上記目的達成のため、本考案の携帯型電子機器用ミラーは、携帯情報端末機、携帯電話機又はスマートフォンを含む板状の携帯型電子機器、又は、当該携帯型電子機器のケースに固定可能であり、板状に構成された主たる面の何れか一方に鏡面を備え、主たる面の前記一方又は他方が前記携帯型電子機器又は前記ケースに接することを特徴とする。
【００１０】
また、本考案の前記携帯型電子機器用ミラーは、前記主たる面の何れか一方又は他方を介して前記ケースに接着又は粘着されることを特徴とする。
【００１１】
また、本考案の前記携帯型電子機器用ミラーは、前記主たる面の他方を介して前記携帯型電子機器に接着又は粘着されることを特徴とする。
【００１２】
また、本考案の前記携帯型電子機器用ミラーは、前記ケースに固定され、当該ケースは、前記携帯型電子機器用ミラーを自在に露出及び覆うこと可能なスライド式の蓋部をさらに備えることを特徴とする。
【００１３】
また、本考案の前記携帯型電子機器用ミラーは、前記ケースに固定され、当該ケースは、前記携帯型電子機器用ミラーを自在に露出及び覆うこと可能な開閉式の蓋部をさらに備えることを特徴とする。
【００１４】
また、本考案の前記携帯型電子機器用ミラーは、前記ケースに固定され、当該ケースは、前記携帯型電子機器の正面部を自在に露出及び覆うこと可能な開閉式の蓋部を備え、前記携帯型電子機器用ミラーは前記蓋部の内側に固定されることを特徴とする。
【００１５】
また、本考案の前記携帯型電子機器用ミラーは、前記ケースに固定され、当該ケースは、前記携帯型電子機器の正面部を自在に露出及び覆うこと可能な開閉式の蓋部を備え、前記携帯型電子機器用ミラーは前記蓋部と前記ケースに固定された前記携帯型電子機器との間に差し込まれた中間片に固定されることを特徴とする。
【００１６】
また、本考案の前記携帯型電子機器用ミラーは、略矩形状に構成され、前記携帯型電子機器の背面部と概ね等しい形状に構成され、かつ、各隅部近傍からは、前記携帯型電子機器を保護し、かつ、当該携帯型電子機器を保持可能な係止片が当該携帯型電子機器側に突出したことを特徴とする。
【００１７】
また、本考案の前記携帯型電子機器用ミラーは、前記ケースに固定され、当該ケースは、前記携帯型電子機器の正面部を自在に露出及び覆うこと可能な開閉式の第１の蓋部を備え、前記携帯型電子機器用ミラーは前記蓋部の外側に固定されて、第２の蓋部により自在に露出及び覆うこと可能であることを特徴とする。
【００１８】
また、本考案の前記携帯型電子機器用ミラーは、前記主たる面の他方を介して前記携帯型電子機器の表示部を覆うように接着又は粘着され、前記携帯型電子機器の不使用時は鏡面として使用可能であり、前記携帯型電子機器の表示部の使用時は、前記携帯型電子機器用ミラーを透過して前記表示部の表示を確認可能であることを特徴とする。
【考案の効果】
【００１９】
本考案の携帯型電子機器用ミラーは、携帯型電子機器、特にその表示部を使用することなく、顔面等の確認が可能となるので、大画面化が進む携帯型電子機器のバッテリーの減少を抑えることが可能である。
【００２０】
また、顔面等の確認時に、携帯型電子機器を用いる必要がないため、携帯型電子機器のＯＮ／ＯＦＦ動作を減少させることが可能であり、バッテリーの寿命を伸ばすことが可能である。
【００２１】
また、携帯型電子機器による顔面等の確認は、あくまで携帯型電子機器のサブカメラ及び表示部を用いた確認であるため、細部の状態までを確認することまでは困難であるが、本考案の携帯型電子機器用ミラーは、ミラー自体を用いるため、顔面の細部までをも確認可能である。
【００２２】
また、本考案の携帯型電子機器用ミラーによれば、携帯型電子機器は、生活必需品として必ず携行することから、手鏡を持ち歩くことなく、かつ、意識することなく常に手鏡を携行可能であり、手鏡を持ち忘れるといったことを防止可能である。
【図面の簡単な説明】
【００２３】
【図１】本考案の第１実施形態に係る携帯型電子機器用ミラーについて、スマートフォンへの装着方法を示す斜視図である。
【図２】本考案の第２実施形態に係る携帯型電子機器用ミラーについて、スマートフォンへの装着方法を示す斜視図である。
【図３】本考案の第３実施形態に係る携帯型電子機器用ミラーについて、スマートフォンへの装着方法を示す斜視図である。
【図４】本考案の第４実施形態に係る携帯型電子機器用ミラーについて、（ａ）は、スライド前の状態を示す斜視図であり、（ｂ）はスライド中の状態を示す斜視図である。
【図５】本考案の第５実施形態及び第６実施形態に係る携帯型電子機器用ミラーについて、（ａ）は、両実施形態共通のスライド前の状態を示す斜視図であり、（ｂ）第５実施形態の携帯型電子機器用ミラーのスライド後の状態を示す斜視図であり、（ｃ）第６実施形態の携帯型電子機器用ミラーのスライド後の状態を示す斜視図である。
【図６】本考案の第７実施形態に係る携帯型電子機器用ミラーについて、（ａ）は、展開前の状態を示す斜視図であり、（ｂ）は展開後の状態を示す斜視図である。
【図７】本考案の第８実施形態に係る携帯型電子機器用ミラーについて、（ａ）は、展開前の状態を示す斜視図であり、（ｂ）は展開後の状態を示す斜視図である。
【図８】本考案の第９実施形態に係る携帯型電子機器用ミラーについて、（ａ）は、スマートフォンへの装着方法を示す展開前の斜視図であり、（ｂ）は展開後の状態を示す斜視図である。
【図９】本考案の第１０実施形態に係る携帯型電子機器用ミラーについて、スマートフォンへの装着方法を示す斜視図である。
【図１０】本考案の第１１実施形態に係る携帯型電子機器用ミラーについて、（ａ）は、第１の蓋部及び第２の蓋部ともに展開前の斜視図であり、（ｂ）は第２の蓋部のみを展開した状態を示す斜視図であり、（ｃ）は、第１の蓋部を展開した状態を示す斜視図である。
【図１１】本考案の第１１実施形態の変形例に係る携帯型電子機器用ミラーについて、（ａ）は、第１の蓋部及び第２の蓋部ともに展開前の斜視図であり、（ｂ）は第２の蓋部のみを展開した状態を示す斜視図である。
【図１２】本考案の第１２実施形態に係る携帯型電子機器用ミラーについて、スマートフォンへの装着方法を示す斜視図である。
【考案を実施するための形態】
【００２４】
以下図面を参照して、本考案による携帯型電子機器用ミラーを実施するための形態について説明する。
［Ａ］第１実施形態（図１）
本考案の第１実施形態に係る携帯型電子機器用ミラーについて、図１を用いて説明する。図１は、本考案の第１実施形態に係る携帯型電子機器用ミラーについて、スマートフォンへの装着方法を示す斜視図である。
【００２５】
本考案の第１実施形態に係る携帯型電子機器用ミラー１（以下、「ミラー１」とも表記する）は、携帯電話機や、スマートフォンといった板状の携帯型電子機器に固定可能となっている。
【００２６】
本考案の考案者は、スマートフォン等の携帯型電子機器の背面部が平坦になっていること、携帯型電子機器が必携の日用品となっていることに着目し、板状に構成され主たる面の一方が鏡面となっているミラーを携帯型電子機器に固定することを考案したものである。
【００２７】
本実施形態ではその一例として、図１に示すように、板状のスマートフォン２の背面部２ａに対して、板状のミラー１を固定したものである。ミラー１は、主たる面の一方としての正面部が鏡面となっており（鏡面部３）、主たる面の他方としての背面部５がスマートフォン２に接して固定される。
【００２８】
ミラー１のスマートフォン２への固定は、接着剤、両面テープ等の固定可能な方法であれば接着、粘着等何れも可能である。また、吸盤等の媒介物を用いて固定することも可能である。
【００２９】
［Ｂ］第２実施形態（図２）
本考案の第２実施形態に係る携帯型電子機器用ミラー１について、図２を用いて説明する。図２は、本考案の第２実施形態に係る携帯型電子機器用ミラーについて、スマートフォンへの装着方法を示す斜視図である。この第２実施形態において、第１実施形態と同様な部分は、同一の符号を付してその説明を省略する。
【００３０】
第２実施形態については、図２示すように、携帯電話機や、スマートフォンといった板状の携帯型電子機器を保護するべくそれらに装着されるケースに携帯型電子機器用ミラーを固定可能となっており、その点が第１実施形態と異なる。
【００３１】
本実施形態ではその一例として、図２に示すように、板状のスマートフォン２の背面部２ａ、その周囲の両側面部、平面部及び底面部を覆いスマートフォン２を保護する箱状のケース７（スマートフォン用ケース）の背面部７ａに対して、板状のミラー１を固定したものである。
【００３２】
ミラー１のケース７への固定は、接着剤、両面テープ等の固定可能な方法であれば接着、粘着、溶着等何れも可能である。
【００３３】
尚、本実施形態の変形例として、ケース７を透明素材で構成した場合においては、ミラー１をケース７の内側（御プ部側）からミラー１を固定することも可能であり、その場合は、ミラー１の鏡面をケース７に固定することとなる。
【００３４】
また、同様に変形例として、ケース７の背面部７ａの一部を切り抜くようにして、ケース７の内側からミラー１を固定することも可能である。即ち、ケース７の内側に切り抜き部を設け、ミラー１をケース７の内側からミラー１の正面部３（鏡面部）の一部をケース７の内側に接触させるようにして接着固定等することも可能である。
【００３５】
［Ｃ］第３実施形態（図３）
本考案の第３実施形態に係る携帯型電子機器用ミラー１について、図３を用いて説明する。図３は、本考案の第３実施形態に係る携帯型電子機器用ミラーについて、スマートフォンへの装着方法を示す斜視図である。この第３実施形態において、第１実施形態及び第２実施形態と同様な部分は、同一の符号を付してその説明を省略する。
【００３６】
第３実施形態に係る携帯型電子機器用ミラー１については、図３に示すように、板状の携帯型電子機器を保護するべくそれらに装着されるケースと同様の箱型形状をミラー１自体が採り、箱型形状の凹部にスマートフォンを収納するものであり、その点が第１実施形態及び第２実施形態と異なる。
【００３７】
本実施形態ではその一例として、図３に示すように、ミラー１自体が、第２実施形態におけるケース７（図２）と同様の箱状の形態となっており、主面となる面が鏡面となっており（鏡面部３（正面部））、鏡面部３を囲んでスカート部６が鏡面部３と反対方向に形成されて箱状体を構成している。
【００３８】
ミラー１の凹部は、スマートフォン２の大きさに対応して構成され、スマートフォンケースと同様にスマートフォン２を凹部に収納することで、凹部内にスマートフォン２を支持固定可能となっている。
【００３９】
尚、鏡面部３は、ミラー１を構成する素材を鏡面加工する場合や、ミラー１への鏡面シールの貼り付け、箱状のミラー１を透明素材で構成し、凹部内側に鏡面シールを張り付ける等、種々の形態を採りうることは当然である。
【００４０】
［Ｄ］第４実施形態（図４）
本考案の第４実施形態に係る携帯型電子機器用ミラー１について、図４を用いて説明する。図４は、本考案の第４実施形態に係る携帯型電子機器用ミラーについて、（ａ）は、スライド前の状態を示す斜視図であり、（ｂ）はスライド中の状態を示す斜視図である。
この第４実施形態において、第１実施形態乃至第３実施形態と同様な部分は、同一の符号を付してその説明を省略する。
【００４１】
第４実施形態については、図４に示すように、第２実施形態と同様に、携帯型電子機器に装着されるケースに携帯型電子機器用ミラーを固定可能となっているが、ミラーを自在に露出及び覆うこと可能なスライド式の蓋部をさらに備える点で第２実施形態と異なる。
【００４２】
本実施形態ではその一例として、図４に示すように、板状のスマートフォン（図４において図示せず）の背面部、その周囲の両側面部、平面部及び底面部を覆いスマートフォンを保護する箱状のケース９（スマートフォン用ケース）に対して、板状のミラー１（鏡面部３）を固定したものであって（図４（ｂ））、ミラー１を覆うように、ミラー１を自在に露出及び覆うこと可能なスライド式の蓋部９ｃ（スライドカバー）をさらに備える。
【００４３】
即ち、ケース９の本体９ａの背面部９ａ１にミラー１が固定され、背面部９ａ１の上部近傍中央に配された回動軸９ｄを介してスライドカバー９ｃが本体９ａに対して時計回り又は反時計回り方向に回動自在に固定されており、図４（ｂ）の如くスライドカバー９ｃを左右何れかの方向にスライドさせることにより、同（ｂ）の一点鎖線で示すように、スライドカバー９ｃの１８０°回動によって、ミラー１の鏡面部３を大きく露出させることが可能である。
【００４４】
尚、ミラー１については、スライドカバー９ｃの裏面部９ｃ１に対して固定することも可能であることは当然である。また、本実施形態において、回動軸９ｄは、背面部９ａ１の上部近傍中央に配されて、スライドカバー９ｃが本体９ａに対して回動自在となっているが、この回動軸の位置は限定されるものではなく、例えば、背面部９ａ１の上部右隅近傍等でも可能であることは当然である。さらに、本実施形態の変形例として、第３実施形態の如く箱状の携帯型電子機器用ミラーに対して、本実施形態のようなスライドカバーを設けた構成とすることも当然可能である。
【００４５】
［Ｅ］第５実施形態及び第６実施形態（図５）
本考案の第５実施形態及び第６実施形態に係る携帯型電子機器用ミラー１について、図５を用いて説明する。図５は、本考案の第５実施形態及び第６実施形態に係る携帯型電子機器用ミラーについて、（ａ）は、両実施形態共通のスライド前の状態を示す斜視図であり、（ｂ）第５実施形態の携帯型電子機器用ミラーのスライド後の状態を示す斜視図であり、（ｃ）第６実施形態の携帯型電子機器用ミラーのスライド後の状態を示す斜視図である。この第５実施形態及び第６実施形態において、第１実施形態乃至第４実施形態と同様な部分は、同一の符号を付してその説明を省略する。
【００４６】
第５実施形態及び第６実施形態ついては、図５に示すように、携帯型電子機器に装着されるケースに携帯型電子機器用ミラーが固定されており、かつ、ミラーを自在に露出及び覆うこと可能なスライド式の蓋部をさらに備える点で第４実施形態と共通し、スライド方向のみが第４実施形態と異なる。
【００４７】
また、第５実施形態及び第６実施形態ついては、図５（ａ）に示すように、蓋部のスライド前の状態を共通にし、図５（ｂ）（第５実施形態）及び同（ｃ）（第６実施形態）は、そのスライド方向が異なる。
【００４８】
第５実施形態ではその一例として、図５（ａ）及び（ｂ）に示すように、板状のスマートフォン（図５において図示せず）の背面部、その周囲の両側面部、平面部及び底面部を覆いスマートフォンを保護する箱状のケース１２（スマートフォン用ケース）に対して、板状のミラー１（鏡面部３）を固定したものであって（図５（ｂ））、ミラー１を覆うように、ミラー１を自在に露出及び覆うこと可能なスライド式の蓋部１２ｃ（スライドカバー）をさらに備える。
【００４９】
即ち、ケース１２の本体１２ａの背面部１２ａ１にミラー１が固定され、背面部１２ａ１の上部近傍及び下部近傍において、ケース１２の背面部１２ａ１の上辺及び下辺に沿うように配されたスライド溝１２ｄを介してスライドカバー１２ｃが本体１２ａに対して右方向にスライド自在に固定されており、図５（ｂ）の如くスライドカバー１２ｃを右側方向にスライドさせることにより、ミラー１の鏡面部３を大きく露出させることが可能である。
【００５０】
第６実施形態ではその一例として、図５（ａ）及び（ｃ）に示すように、第５実施形態とスライド方向が異なるものであり、ケース１２の本体１２ａの背面部１２ａ１にミラー１が固定され、背面部１２ａ１の右辺近傍及び左辺近傍において、ケース１２の背面部１２ａ１の右辺及び左辺に沿うように配されたスライド溝１２ｄを介してスライドカバー１２ｃが本体１２ａに対して背面部１２ａ１の上側方向にスライド自在に固定されており、図５（ｃ）の如くスライドカバー１２ｃを上側方向にスライドさせることにより、ミラー１の鏡面部３を大きく露出させることが可能である。
【００５１】
尚、第５実施形態及び第６実施形態のミラー１については、スライドカバー１２ｃの裏面部１２ｃ１に対して固定することも可能であることは当然である。また、両実施形態の変形例として、第３実施形態の如く箱状の携帯型電子機器用ミラーに対して、本実施形態のようなスライドカバーを設けた構成とすることも当然可能である。
【００５２】
［Ｆ］第７実施形態（図６）
本考案の第７実施形態に係る携帯型電子機器用ミラー１について、図６を用いて説明する。図６は、本考案の第７実施形態に係る携帯型電子機器用ミラーについて、（ａ）は、展開前の状態を示す斜視図であり、（ｂ）は展開後の状態を示す斜視図である。この第７実施形態において、第１実施形態乃至第６実施形態と同様な部分は、同一の符号を付してその説明を省略する。
【００５３】
第７実施形態については、図６に示すように、第２実施形態と同様に、携帯型電子機器に装着されるケースに携帯型電子機器用ミラーを固定可能となっているが、スマートフォンを自在に露出及び覆うこと可能な開閉式の蓋部を備え、蓋部の内側にミラーを備える点で第２実施形態と異なる。
【００５４】
本実施形態ではその一例として、図６に示すように、ケース１３は、板状のスマートフォン（図６において図示せず）を側壁部１３ａ１により形成された収納空間１３ｅに収納して支持固定するともに、スマートフォンの背面部、その周囲の両側面部、平面部及び底面部を覆いスマートフォンを保護する箱状の本体１３ａに対して、スマートフォンの正面部を自在に露出及び覆うことが可能な開閉式の蓋部１３ｂが連続して設けられている。
【００５５】
蓋部１３ｂは、書籍の如き見開きを可能とするべく、本体１３ａの一方の長辺に開閉可能に接続されている。
【００５６】
また、開閉式の蓋部１３ｂの内側、即ち、蓋部１３ｂを開いた場合に見開き部分となる蓋部１３ｂの裏面部１３ｂ２には、ミラー１が配されており、鏡面部３がケース１３の見開き時（展開時）に露出される構成となっている。
【００５７】
尚、ミラー１については、蓋部１３ｂの表面部１３ｂ１に対して固定することも可能であることは当然である。
［Ｇ］第８実施形態（図７）
本考案の第８実施形態に係る携帯型電子機器用ミラー１について、図７を用いて説明する。図７は、本考案の第８実施形態に係る携帯型電子機器用ミラーについて、（ａ）は、展開前の状態を示す斜視図であり、（ｂ）は展開後の状態を示す斜視図である。この第８実施形態において、第１実施形態乃至第７実施形態と同様な部分は、同一の符号を付してその説明を省略する。
【００５８】
第８実施形態については、図７に示すように、第７実施形態と同様に、見開き式のケースとなっており、ミラーが蓋部の内側ではなく、蓋部とケース本体に固定されたスマートフォンとの間に差し込まれた中間片に固定される点で第２実施形態と異なる。
【００５９】
本実施形態ではその一例として、図７に示すように、ケース１５は、板状のスマートフォン（図７において図示せず）を側壁部１５ａ１により形成された収納空間１５ｄに収納して支持固定するともに、スマートフォンを覆いスマートフォンを保護する箱状の本体１５ａに対して、スマートフォンの正面部を自在に露出及び覆うことが可能な開閉式の蓋部１５ｂが連続して設けられている。
【００６０】
蓋部１５ｂは、書籍の如き見開きを可能とするべく、本体１３ａの一方の長辺に開閉可能に接続されている。
【００６１】
また、開閉式の蓋部１５ｂの内側、即ち、蓋部１５ｂを開いた場合に見開き部分となる蓋部１３ｂの裏面部１３ｂ２と、ケース１４の本体１５ａとの間に差し込まれて、一方の長辺が本体１５ａに対して展開自在に固定された中間片１５ｃが配されている。
【００６２】
また、中間片１５ｃの主たる面の少なくとも何れか一方にはミラー１を配することが可能であり、図７（ｂ）においては、本体１５ａ側の第１面１５ｃ１にミラー１が配されて、鏡面部３が中間片１５ｃの見開き時（展開時）に露出される構成となっている。
【００６３】
尚、ミラー１については、中間片１５ｃの第１面１５ｃ１ではなく、その裏側の第２面１５ｃ２に対して固定することも可能であることは当然である。
【００６４】
［Ｈ］第９実施形態（図８）
本考案の第９実施形態に係る携帯型電子機器用ミラー１について、図８を用いて説明する。図８は、本考案の第９実施形態に係る携帯型電子機器用ミラーについて、（ａ）は、スマートフォンへの装着方法を示す展開前の斜視図であり、（ｂ）は展開後の状態を示す斜視図である。この第９実施形態において、第１実施形態乃至第８実施形態と同様な部分は、同一の符号を付してその説明を省略する。
【００６５】
第９実施形態については、図８に示すように、第２実施形態と同様に、携帯型電子機器に装着されるケースに携帯型電子機器用ミラーを固定可能となっているが、ミラーを自在に露出及び覆うことが可能な開閉式の蓋部をさらに備える点で第２実施形態と異なる。
【００６６】
本実施形態ではその一例として、図８に示すように、板状のスマートフォン２を保護する箱状のケース１７（スマートフォン用ケース）に対して、板状のミラー１（鏡面部３）を固定したものであって（図８（ｂ））、ミラー１を覆うように、ミラー１を自在に露出及び覆うこと可能な開閉式の蓋部１７ｂ（開閉カバー）をさらに備える。
【００６７】
即ち、ケース１７の本体１７ａの背面部１７ａ１にミラー１が固定され、背面部１７ａ１の上下中央よりから下辺まで覆うように配された矩形状の開閉カバー１７ｂを備えている。
【００６８】
この開閉カバー１７ｂは、開閉カバー１７ｂの上辺の側方に開閉カバー１７から連続して配されたヒンジとしての回動軸１７ｂ２により、ケース１７の側面部に回動自在に固定されており、図８（ａ）のケース１７の状態から、開閉カバー１７ｂ２を開くことにより、同（ｂ）の如くミラー１の鏡面部３を大きく露出させることが可能である。
【００６９】
尚、ミラー１については、開閉カバー１７ｂの裏面部１７ｂ１に対して固定することも可能であることは当然である。また、本実施形態の変形例として、第３実施形態の如く箱状の携帯型電子機器用ミラーに対して、本実施形態のような開閉カバーを設けた構成として開閉カバー内のみを鏡面部とすることも当然可能である。
【００７０】
［Ｉ］第１０実施形態（図９）
本考案の第１０実施形態に係る携帯型電子機器用ミラー１について、図９を用いて説明する。図９は、本考案の第１０実施形態に係る携帯型電子機器用ミラーについて、スマートフォンへの装着方法を示す斜視図である。この第１０実施形態において、第１実施形態乃至第９実施形態と同様な部分は、同一の符号を付してその説明を省略する。
【００７１】
第１０実施形態に係る携帯型電子機器用ミラー１については、図９に示すように、第３実施形態（図３）が備えるスカート部６が存在せず、その代りに携帯型電子機器を保持可能な係止片が携帯型電子機器側に突出しているものである。
【００７２】
本実施形態ではその一例として、図９に示すように、ミラー１自体は、第１実施形態と同様に略矩形状の板状となっているものの、ミラー１は、その大きさがスマートフォン２の背面部２ａの大きさに対応して形成されており、主面となる面が鏡面となっている（鏡面部３（正面部））。
【００７３】
また、略矩形状のミラー１の各隅部近傍からは、スマートフォン２を保護し、かつ、スマートフォン２を保持可能な係止片としての係合脚５ａが背面部５からスマートフォン２側に対して突出して備えられおり、係合脚５ａの長さはスマートフォン２への係合を可能とするべく、スマートフォン２の厚みに応じて決定され、係合脚５ａの先端部がスマートフォン２を支持固定するべく、ミラー１の背面部５方向に対して折曲形状となっている。
【００７４】
尚、鏡面部３は、ミラー１を構成する素材を鏡面加工する場合や、ミラー１への鏡面シールの貼り付け、箱状のミラー１を透明素材で構成し、凹部内側に鏡面シールを張り付ける等、種々の形態を採りうることは当然である。
【００７５】
［Ｊ］第１１実施形態（図１０及び図１１）
本考案の第１１実施形態に係る携帯型電子機器用ミラー１について、図１０を用いて説明する。図１０は、本考案の第１１実施形態に係る携帯型電子機器用ミラーについて、（ａ）は、第１の蓋部及び第２の蓋部ともに展開前の斜視図であり、（ｂ）は第２の蓋部のみを展開した状態を示す斜視図であり、（ｃ）は、第１の蓋部を展開した状態を示す斜視図である。図１１は、本考案の第１１実施形態の変形例に係る携帯型電子機器用ミラーについて、（ａ）は、第１の蓋部及び第２の蓋部ともに展開前の斜視図であり、（ｂ）は第２の蓋部のみを展開した状態を示す斜視図である。この第１１実施形態において、第１実施形態乃至第１０実施形態と同様な部分は、同一の符号を付してその説明を省略する。
【００７６】
第１１実施形態については、図１０に示すように、第７実施形態と同様に、携帯型電子機器に装着されるケースがスマートフォンを自在に露出及び覆うこと可能な開閉式の蓋部（第１の蓋部）を備える点で第７実施形態と共通し、蓋部の外側にミラーを備え、さらにミラーを自在に露出及び覆うことが可能な第２の蓋部を備える点で、蓋部の内側にミラーを備える第７実施形態と異なる。
【００７７】
本実施形態ではその一例として、図１０に示すように、ケース１３は、板状のスマートフォン（図６において図示せず）を側壁部１３ａ１により形成された収納空間１３ｅに収納して支持固定するともに、スマートフォンの背面部、その周囲の両側面部、平面部及び底面部を覆いスマートフォンを保護する箱状の本体１３ａに対して、スマートフォンの正面部を自在に露出及び覆うことが可能な開閉式の第１の蓋部１３ｂが連続して設けられている。
【００７８】
第１蓋部１３ｂは、書籍の如き見開きを可能とするべく、本体１３ａの一方の長辺に開閉可能に接続されている。
【００７９】
また、開閉式の第１の蓋部１３ｂの内側、即ち、第１の蓋部１３ｂを閉じた場合（図１０（ａ）及び（ｂ））に見開き部分となる第１の蓋部１３ｂの表面部１３ｂ１には、ミラー１が配されており（ｂ）、ミラー１の鏡面部３を自在に露出及び覆うことが可能な第２の蓋部１３ｃを備えており、第２の蓋部１３ｃを展開することにより（図１０（ｂ））、鏡面部３が露出される構成となっている。
【００８０】
また、第２の蓋部１３ｃの表面部１３ｃ１には、第２の蓋部１３ｃを閉じた状態で、第１の蓋部１３との間に橋架される留め具１３ｃ２が配されて、第２の蓋部１３ｃを自在に第１の蓋部１３に固定可能となっている。
【００８１】
即ち、本実施形態においては、第２の蓋部１３ｃの表面部１３ｃ１に一端が固定された帯板状の突設片と、突設片の裏側の他端側近傍に配される円形のマグネットと、第１の蓋部の表面部１３ｃ１に配されて凹状に構成され、凹部の内部にマグネットが備えられた留め具１３ｃ２の嵌合及びそのマグネット同士の吸着により、第２の蓋部１３ｃの第１の蓋部１３固定が可能となっており、突設片を掴んで、留め具１３ｃ２の嵌合及び吸着を解除することにより、第２の蓋部１３ｃを展開することも可能である。
【００８２】
尚、留め具は、第２の蓋部を第１の蓋部に固定可能とするためのものであることから、第２の蓋部を第１の蓋部に自在に固定可能であれば、どのような方法でもよい。例えば、ミラー１の裏側及び対応した第２の蓋部の内部にマグネットを配し、ミラー１の裏側と第２の蓋部の内部のマグネットの互いの吸着を利用して第２の蓋部を第１の蓋部に固定し、例えば、突設片を図１０の留め具１３ｃ２と同じ場所に配し（突設片にマグネットは不要）、第２の蓋部に固定された突設片を掴むことにより、第２の蓋部を第１の蓋部から引き剥がして第２の蓋部を展開するような構成も当然可能である。
【００８３】
また、本実施形態の変形例として、携帯型電子機器へのマグネットが発する磁力の影響を考慮し、図１０の留め具１３ｃ２をマグネットを利用しないホックボタンとすることも当然可能であり、その場合は、凸部と凹部の嵌合により、留め具を結合させる。
【００８４】
また同様に、図１１のようなマグネットを使用しない構成も当然可能である。即ち、図１１に示すように、留め具１３ｄを第２の蓋部１３ｃの表面部１３ｃ１に設けられた突設片１３ｄ１と、第１の蓋部１３ｂの表面部１３ｂ１に設けられた嵌挿片１３ｄ２とにより構成することも可能である。
【００８５】
即ち、突設片１３ｄ１を嵌挿片１３ｄ２に嵌挿することにより、第２の蓋部１３ｃを第１の蓋部１３ｂの表面部１３ｂ１上に留めておくことも可能であり、突設片１３ｄ１と嵌挿片１３ｄ２の嵌挿を解除することにより、自在に第２の蓋部１３ｃを展開して、ミラー１の露出が可能である。
【００８６】
［Ｋ］第１２実施形態（図１１）
本考案の第１２実施形態に係る携帯型電子機器用ミラー１について、図１０を用いて説明する。図１１は、本考案の第１１実施形態に係る携帯型電子機器用ミラーについて、スマートフォンへの装着方法を示す斜視図である。この第１１実施形態において、第１実施形態乃至第１１実施形態と同様な部分は、同一の符号を付してその説明を省略する。
【００８７】
第１１実施形態に係る携帯型電子機器用ミラー１については、図９に示すように、第１実施形態（図１）と同様に携帯型電子機器自体にミラー１を固定するものの、携帯型電子機器の表示部を覆うようにミラー１を固定し、表示部の使用時にはミラー１を透過して表示を確認可能であり、表示部の不使用時には鏡面としてミラー１を使用可能である点で異なる。
【００８８】
即ち、本実施形態ではその一例として、図１０に示すように、板状のスマートフォン２の正面部２ｂの表示部２ｂ１に対して、表示部２ｂ１を覆うように板状のミラー１を固定したものである。
【００８９】
ミラー１は、主たる面の一方としての正面部が鏡面となっており（鏡面部３）、主たる面の他方としての背面部５がスマートフォン２の表示部２ｂ１に接して固定される。
【００９０】
ミラー１のスマートフォン２への固定は、ミラー１を介した表示部２ｂ１の確認が必要であることから、粘着性透明フィルムを介した固定や、透明接着剤が用いられる。
【００９１】
また、ミラー１は、スマートフォン２の表示部２ｂ１の使用時には、表示部２ｂ１から発せられる光を透過し、ミラー１を介して表示を確認可能であり、表示部の不使用時には鏡面として作用するよう構成されている。
【００９２】
即ち、鏡面３を所謂マジックミラーとするものであり、反射光と透過光の割合を、反射膜の厚みで調整することによって実現するものである。
【００９３】
［Ｌ］その他
これまで説明した実施形態において、スマートフォン等の携帯型電子機器のケースについては、プラスチックで構成する場合の他、アルミ等の金属製、木製、革製の場合や、表面のみを革製等する等、所望の素材を使用可能であることはいうまでもない。
【００９４】
また、ミラー１については、矩形状等に限定されるものではなく、例えば、楕円形上や、ハート型等で構成することも可能である。また、ミラー１自体を矩形状等にした場合であっても、ケースの表面を覆う皮革素材に、楕円形上や、ハート型等の所望の形状の切り抜かれた窓部を設けてその内側にミラー１を配することによって、ミラー１の露出部分を所望の形状とすることも可能である。
【００９５】
さらに、ミラー１については、プラスチック製、ガラス製、ステンレス製等が想定されるが、落下時の耐衝撃性及び携行時の軽量性を考慮して、アクリル樹脂ミラー等のプラスチックミラーが好適である。
【００９６】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００９７】
１        ミラー
２        スマートフォン（携帯型電子機器）
２ａ      背面部
２ｂ      正面部
２ｂ１    表示部
３        鏡面部（正面部）
５        背面部
５ａ      係合脚
６        スカート部
７        ケース（スマートフォン用ケース）
７ａ      背面部
９        ケース（スマートフォン用ケース）
９ａ      本体
９ｂ      背面部
９ｃ      スライドカバー（蓋部）
９ｃ１    裏面部
９ｄ      回動軸
１２      ケース（スマートフォン用ケース）
１２ａ    本体
１２ａ１    背面部
１２ｃ    スライドカバー（蓋部）
１２ｃ１  裏面部
１２ｄ    スライド溝
１３      ケース（スマートフォン用ケース）
１３ａ    本体
１３ａ１  側壁部
１３ｂ    蓋部（第１の蓋部）
１３ｂ１  表面部
１３ｂ２  裏面部
１３ｃ    第２の蓋部
１３ｃ１  表面部
１３ｃ２  留め具
１３ｄ    留め具
１３ｄ１  突設片
１３ｄ２  嵌挿片
１３ｅ    収納空間
１５      ケース（スマートフォン用ケース）
１５ａ    本体
１５ａ１  側壁部
１５ｂ    蓋部
１５ｂ１  裏面部
１５ｃ    中間片
１５ｃ１  第１面
１５ｃ２  第２面
１５ｄ    収納空間
１７      ケース（スマートフォン用ケース）
１７ａ    本体
１７ａ１    背面部
１７ｂ    開閉カバー（蓋部）
１７ｂ１  裏面部
１７ｂ２    回動軸
【図１】
0003194367.tif 000003
【図２】
0003194367.tif 000004
【図３】
0003194367.tif 000005
【図４】
0003194367.tif 000006
【図５】
0003194367.tif 000007
【図６】
0003194367.tif 000008
【図７】
0003194367.tif 000009
【図８】
0003194367.tif 000010
【図９】
0003194367.tif 000011
【図１０】
0003194367.tif 000012
【図１１】
0003194367.tif 000013
【図１２】
0003194367.tif 000014
【手続補正書】
【提出日】平成26年9月16日(2014.9.16)
【手続補正１】
【補正対象書類名】実用新案登録請求の範囲
【補正対象項目名】請求項１０
【補正方法】変更
【補正の内容】
【請求項１０】
前記携帯型電子機器用ミラーは、マジックミラーであって、前記主たる面の他方を介して前記携帯型電子機器の表示部を覆うように接着又は粘着され、前記携帯型電子機器の不使用時は鏡面として使用可能であり、前記携帯型電子機器の表示部の使用時は、前記携帯型電子機器用ミラーを透過して前記表示部の表示を確認可能であることを特徴とする請求項１に記載の携帯型電子機器用ミラー。
【手続補正２】
【補正対象書類名】明細書
【補正対象項目名】００１８
【補正方法】変更
【補正の内容】
【００１８】
また、本考案の前記携帯型電子機器用ミラーは、マジックミラーであって、前記主たる面の他方を介して前記携帯型電子機器の表示部を覆うように接着又は粘着され、前記携帯型電子機器の不使用時は鏡面として使用可能であり、前記携帯型電子機器の表示部の使用時は、前記携帯型電子機器用ミラーを透過して前記表示部の表示を確認可能であることを特徴とする。